(57)【要約】      （修正有）【課題】適宜サイズのコットンやティッシュペーパに消毒剤や化粧水等の液体を塗布して使用でき、携帯に適した液体収容ケースを提供する。【解決手段】液体収容ケース１は、ヒンジ部４を介して連結された半球形状のケース本体２と外蓋３とを有し、消毒液等の液体をパッド８に含浸したスタンプ台７をケース本体２に設け、さらにケース本体２と外蓋３との間に、パッド８を覆う仕切り板１２が設けられる。外蓋３をケース本体２に対して閉じると、液体収容ケース１は、外観が球形状となる。【選択図】図２
0003198334.tif 000002
【実用新案登録請求の範囲】
【請求項１】
液体を含浸したパッドが内部に配置される第１の容器部と、
前記第１の容器部に対してヒンジ部を介して開閉可能に連結された第２の容器部と、
前記第１の容器部と前記第２の容器部との間に配置され、前記パッドを覆う仕切り板とを備えることを特徴とする液体収容ケース。
【請求項２】
請求項１において、
前記第１の容器部内の温度、湿度その他の環境状態に応じて表示状態が変化する表示部を備えることを特徴とする液体収容ケース。
【請求項３】
請求項１及び２のいずれか１項において、
前記第２の容器部の開閉回数に応じて表示状態が変化する表示部を備えることを特徴とする液体収容ケース。
【請求項４】
請求項１乃至３のいずれか１項において、
当該液体収容ケース内に笛を設け、又は前記仕切り板を笛構造としたことを特徴とする液体収容ケース。
【請求項５】
請求項１乃至４のいずれか１項において、
当該液体収容ケースに接続される導電性を有する紐部材を備え、前記紐部材を前記パッドと電気的に接続したことを特徴とする液体収容ケース。
【考案の詳細な説明】
【技術分野】
【０００１】
本考案は、消毒液や化粧水等の液体が含浸するスポンジや不織布等のパッドを開閉可能な携帯用のケースに収容した液体収容ケースに係り、特に、乾燥しているコットンやティッシュペーパ等とパッドとを分離して収容できる液体収容ケースに関する。
【背景技術】
【０００２】
コットンやティッシュペーパに消毒液や化粧水等の液体を予め浸透させたウエットコットン、ウエットティッシュは、密閉容器内に収容されて乾燥が防止される（特許文献１）。
【０００３】
引用文献１に開示されるウエットコットン、ウエットティッシュ（以下、ウエットティッシュを例にして説明する）は、製造工場で密閉容器内に収容され、所定の開口部からウエットティッシュを一枚ずつ取り出して使用する。そして、ウエットティッシュを最後まで使い切ると密閉容器は廃棄され、密閉容器が再利用に供されることはない。
【先行技術文献】
【特許文献】
【０００４】
【特許文献１】特開２００１−０８０６８４号公報
【考案の概要】
【考案が解決しようとする課題】
【０００５】
ところで、特許文献１に開示される密閉容器はテーブルや机に置いて使用するのに適したサイズであるため、携帯するには不向きである。
【０００６】
また、密閉容器に収容されるウエットティッシュで例えば指先などの僅かな部分を拭く場合、実際に使用に供されるウエットティッシュは一部分だけあることが多く、無駄が多い。
【０００７】
本考案の目的は、このような課題を解決するためになされたもので、適宜サイズのコットンやティッシュペーパに消毒液や化粧水等の液体を塗布して使用でき、携帯に適した液体収容ケースを提供しようとするものである。
【課題を解決するための手段】
【０００８】
〔考案１〕  上記目的を達成するために、考案１の液体収容ケースは、液体を含浸したパッドが内部に配置される第１の容器部と、前記第１の容器部に対してヒンジ部を介して開閉可能に連結された第２の容器部と、前記第１の容器部と前記第２の容器部との間に配置され、前記パッドを覆う仕切り板とを備えることを特徴とする。
【０００９】
〔考案２〕  さらに、考案２の液体収容ケースは、考案１の液体収容ケースにおいて、前記第１の容器部内の温度、湿度その他の環境状態に応じて表示状態が変化する表示部を備えることを特徴とする。
【００１０】
〔考案３〕  さらに、考案３の液体収容ケースは、考案１及び２のいずれか１の液体収容ケースにおいて、前記第２の容器部の開閉回数に応じて表示状態が変化する表示部を備えることを特徴とする。
【００１１】
〔考案４〕  さらに、考案４の液体収容ケースは、考案１乃至３のいずれか１の液体収容ケースにおいて、当該液体収容ケース内に笛を設け、又は前記仕切り板を笛構造としたことを特徴とする。
【００１２】
〔考案５〕  さらに、考案５の液体収容ケースは、考案１乃至４のいずれか１の液体収容ケースにおいて、当該液体収容ケースに接続される導電性を有する紐部材を備え、前記紐部材を前記パッドと電気的に接続したことを特徴とする。
【考案の効果】
【００１３】
以上説明したように、考案１の液体収容ケースによれば、消毒液や化粧水等の液体を液漏れなく液体収容ケース内に収容しているため、携帯性に優れている。また、第２の容器内には、例えば乾いたコットン等を収容することができる。この場合、仕切り板により乾いたコットン等と液体で濡れているパッドとは隔離されるため、コットン等がパッドの液体で濡れるのが防止される。さらに、乾いたコットン等を適宜のサイズにちぎってパッドに押し当てて液体をコットン等に浸み込ませ、汚れなどを拭きとることができ、液体やコットン等を無駄なく使用することができる。
【００１４】
さらに、考案２の液体収容ケースによれば、表示部の表示によりパッドの環境変化を把握することができるので、パッドの交換又は液体収容ケースの買い替えの目安とすることができる。
【００１５】
さらに、考案３の液体収容ケースによれば、表示部の表示により第２の容器部の開閉回数に応じたパッドの環境変化を把握することができるので、パッドの交換又は液体収容ケースの買い替えの目安とすることができる。
【００１６】
さらに、考案４の液体収容ケースによれば、被災時に笛を吹いて自分の居場所を知らせることができる。
【００１７】
さらに、考案５の液体収容ケースによれば、液体収容ケースを例えば携帯電話の携帯ストラップの装飾部品として使用する場合、携帯電話に帯電した静電気がパッドの液体をイオン化し、パッドの液体をコットン等に浸み込ませて拭き取ると、汚れが取れやすくなる。
【図面の簡単な説明】
【００１８】
【図１】本考案による液体収容ケースの第１の実施形態を示す外観正面図である。
【図２】図１に示す液体収容ケースの外蓋と中蓋を開いた状態を示す側面図である。
【図３】図２のＡ−Ａ線矢視図である。
【図４】図３のＢ−Ｂ線矢視図である。
【図５】本考案による液体収容ケースの第２の実施形態を示す側面図である。
【図６】本考案による液体収容ケースの第３の実施形態を示し、（ａ）はケース本体部の上面図、（ｂ）は（ａ）の側面図である。
【図７】本考案による液体収容ケースの第４の実施形態を示す外観斜視図である。
【図８】本考案による液体収容ケースを携帯ストラップとして使用した第５の実施形態を示す外観図である。
【考案を実施するための形態】
【００１９】
以下、本考案を図面に示す実施形態に基づいて詳細に説明する。
〔第１の実施形態〕
図１から図４は本考案の第１の実施形態を示す。
【００２０】
本実施形態の液体収容ケース１は、中空の球体に形成されている。液体収容ケース１は、中心点を通る平面を対称に２等分した中空半球体の球殻形状に形成された第１の容器部である第１半球部２と第２の容器部である第２半球部３を有する。第１半球部２と第２半球部３は、図２に示すように、ヒンジ部４を介して連結される。第１半球部２と第２半球部３はヒンジ部４と共に合成樹脂材により一体的に形成される。
【００２１】
本実施形態において、第１半球部２をケース本体とし、第２半球部３を外蓋と称して以下説明する。外蓋３はヒンジ部４を介してケース本体２に開閉可能に連結される。外蓋３をケース本体２に閉じた状態において、ケース本体２と外蓋３とは、開口部の外周端面同士が密着して当接する。
【００２２】
ケース本体２には、ヒンジ部４とは反対側にロック爪５が設けられている。ロック爪５は、ケース本体２の開口面から外方に向けて突出する。外蓋３の壁部には、ヒンジ部４とは反対側に、ロック爪５が係合する係合孔６が形成されている。ケース本体２に対して外蓋３を閉じると、ロック爪５が係合孔６に係合し、ケース本体２と外蓋３とがロックする。
【００２３】
ロックを解除する場合は、ケース本体２の外周面に二重丸で表示したマークＰを指で押す。マークＰの部分が内側に押されると、マークＰの周辺が内側に弾性変形するのに伴ってロック爪５も内側に移動し、ロック爪５が係合孔６から外れてロックが解除される。
【００２４】
ケース本体２内には、塗布液スタンプ台７が配置される。塗布液スタンプ台７は、消毒液や化粧水等の液体（以下、消毒液を例にして説明する）が含浸されるスポンジや不織布等のパッド８と、パッド８を収容するパッドホルダー９とを有する。パッドホルダー９は、図４に示すように、ケース本体２の開口の内径と同径の外径に形成されたつば部１０と、つば部１０の内側に形成されたパッド収容凹部１１とを有する。パッド収容凹部１１は円形の開口に形成され、円盤形状のパッド８が収容される。
【００２５】
ケース本体２と外蓋３との間には、円盤形状の仕切り板１２が回動可能に配置される。仕切り板１２は、パッド８を覆って消毒液が蒸発するのを防止すると共に、外蓋３内に収納される乾いたコットンやティッシュペーパ等に消毒液が流出するのを防止する。図３及び図４に示すように、仕切り板１２の外周の一部には、軸部１３が形成される。軸部１３は、パッドホルダー９のつば部１０の上面に形成した対向する支持部１４、１５の間に軸支される。仕切り板１２は、軸部１３を回動支点として回動可能に支持部１４、１５に支持される。支持部１４、１５はヒンジ部４側に配置される。
【００２６】
パッド８は、パッドホルダー９の上端よりも上方に僅かな高さだけ突出している。このため、仕切り板１２はパッド８の前記突出した部分を覆うように凹状に形成され、中蓋として機能する。したがって、仕切り板１２の先端側を押し上げると中蓋である仕切り板１２が開き、パッド８の上面が現れる。
【００２７】
本実施形態において、パッド８は、パッドホルダー９を利用してケース本体２の内部に配置されるが、本考案はこれに限定されるものではない。例えばパッド８をケース本体２の内形状に合わせた形状とし、直接ケース本体２の内部に配置するようにしても良い。この場合は、スタンプ台７は不要である。
【００２８】
また、パッドホルダー９は、パッド収容凹部１１内にパッド８を収容しているが、パッド収容凹部１１を廃止して単にフランジ部１０に開口を形成した構成としても良い。この場合、パッド８は、ケース本体２の内部形状に合わせた形状としても良い。
【００２９】
さらに、パッド収容凹部１１の開口を円形の形状としているが、正方形、長方形、五角形、六角形等の多角形形状、その他任意の形状としても良い。スタンプ台７は、予めパッド８に消毒剤、化粧水等の液体を予め含浸させ、仕切り板１２によりパッド８を覆った状態を交換カートリッジとし、ケース本体２に交換可能に取り付けるようにしても良い。交換カートリッジのスタンプ台７は、包装材により密封包装した状態で提供できるようにしても良く、この場合は予備のスタンプ台７として携帯することができる。
【００３０】
一方、外蓋３の内側は半球殻形状の空間に形成されている。外蓋３の内側には、例えばコットン、ティッシュペーパ、ガーゼ等の衛生材料１６を収容する。液体収容ケース１の携帯性を考慮し、液体収容ケース１の外径を例えば約３〜５ｃｍ程度とした場合、消毒液が未塗布の小さく切った衛生材料１６を外蓋３内に複数詰め込むことができる。
【００３１】
液体収容ケース１は、例えばバック等に入れて持ち運びすることができる。また、ストラップに取り付けてバック等に吊るして持ち運ぶことができる。
【００３２】
ユーザは、液体収容ケース１を使用する場合、マークＰの部分を押してロック爪５を係合孔６から外してロック解除し、外蓋３を大きく開き、コットン又はティッシュペーパ等の衛生材料１６を取り出す。
【００３３】
次に、ユーザは仕切り板１２を開いて塗布液スタンプ台７のパッド８を露出させ、衛生材料１６をパッド８に押し付け、消毒液を衛生材料に浸み込ませる。そして、ユーザは例えば指などを拭いて消毒する。
【００３４】
液体収容ケース１の使用が終了すると、中蓋である仕切り板１２を閉じて消毒液の蒸発を防止し、外蓋３の内側に収納した衛生材料１６に消毒液が触れることを防止する。さらに、外蓋３を閉じると係合孔６にロック爪５が係合し、外蓋３がケース本体２に密着状態で固定される。
【００３５】
本実施形態によれば、消毒液をケース本体２に設けた塗布液スタンプ台７のパッド８に含浸させているので、液体収容ケース１の携帯中に消毒液が漏れることがない。コットンやティッシュペーパは、適宜のサイズに切ってパッド８に押し当てて消毒液を浸み込ませることができるので、消毒液及びコットンやティッシュペーパの無駄を防止することができる。
【００３６】
また、液体収容ケース１の不使用時には仕切り板１２によりパッド８が覆われているので、消毒液の蒸発が防止でき、長期間の使用が保証される。
【００３７】
外蓋３の内側にコットン又はティッシュペーパ等の衛生材料１６を収納することができるので、使用時にコットン等を探すことがない。
【００３８】
本実施形態では、ケース本体２と外蓋３とを球体の中心点を通る平面を対称に２等分した中空半球体の球殻形状に形成しているが、ケース本体２と外蓋３を非対称形状としても良い。また、液体収容ケース１を円筒形状の筒体とし、長手方向に沿って２つの筒体部に分割し、２つの筒体部をヒンジ部を介して連結するようにしても良い。その際、２つの筒体部の当接面を軸方向に対して直角な面としても、傾斜した面としても良い。この場合、筒体部には、円柱形状のパッド８を直接装着するようにしても良い。
【００３９】
また、本実施形態では、液体収容ケース１の外観を球形状に構成したが、これに限らず、耳や目を付けてウサギや猫等の動物の頭部を模した形状に構成しても良い。これにより、中高校生をターゲットにして学生カバンに付けられる製品にすることができる。
【００４０】
〔第２の実施形態〕
図５は第２の実施形態を示す。
本実施形態は、液体収容ケース１の内部温度、内部湿度を仕切り板１２に設けた温度マーク２１と湿度マーク２２により表示させ、高温度、低湿度を表示した場合にパッド８の湿り気状態の判断の目安とする。なお、図５において、第１の実施形態で示す液体収容ケース１の部材と同じ部材には同じ符号を付してその説明を省略する。
【００４１】
図５において、仕切り板１２の外側面（上面）に温度マーク２１を設け、仕切り板１２の内側面に湿度マーク２２を設けている。なお、温度マーク２１と湿度マーク２２の両マークを設ける必要はなく、温度マーク２１と湿度マーク２２のいずれか一方のみを設けるようにしても良い。また、温度マーク２１と湿度マーク２２は仕切り板１２ではなく、パッドホルダー９のフランジ部１０の上面に設けるようにしても良い。さらに、温度マーク２１と湿度マーク２２をケース本体２の内周面や外蓋３の内周面に設けるようにしても良い。この場合、ケース本体２や外蓋３を透明材料で形成すると、液体収容ケース１の外側から温度表示、湿度表示を確認することができる。
【００４２】
また、温度マーク２１、湿度マーク２２を液体収容ケース１の外周面に設け、液体収容ケース１の内部温度、内部湿度を表示するようにしても良い。
【００４３】
温度マーク２１は、例えば花模様に表示される。花模様の温度マーク２１は、温度によって異なった色に発色する。このようなマーク部２１は、例えばサーモクロミクスインク（Ｈ．Ｗ．サンズ社ＴＣＬインク）を用いて印刷等により表示される。
【００４４】
湿度マーク２２は、例えば複数のマーク部（図５では星印で示す）２２ａ〜２２ｃを有する。マーク部２２ａ〜２２ｃは、それぞれ湿度によってピンク色から青色に変化する。青色に変化した部分のマーク部２２ａ〜２２ｃより湿度を把握することができる。マーク部２２ａ〜２２ｃは、湿度指示インク（富士ゲル産業株式会社製）により表示することができる。
【００４５】
本実施形態において、温度マーク２１が高温を表示し続けた場合、湿度マーク２２が低湿度を表示し続けた場合には、スタンプ台７の消毒液の蒸発が進むため、パッド８の湿り気が失われる。このため、温度マーク２１の花模様が高温度の色に変化し、また湿度マーク２２が低湿度を表示すると、ユーザは塗布液スタンプ台７の交換時期に達したと判断することができる。また、スタンプ台７がケース本体２に固着されている構造では、液体収容ケース１自体の寿命と判断し、買い替えの目安とすることができる。
【００４６】
〔第３の実施形態〕
図６は第３の実施形態を示す。
本実施形態は、液体収容ケース１の外蓋３の開閉回数に応じて、塗布液スタンプ台７のパッド８の湿り具合が乾燥しているか濡れているかを判断できるようにしたものである。なお、図６において、第１の実施形態で示す液体収容ケース１の部材と同じ部材には同じ符号を付してその説明を省略する。
【００４７】
図６において、外蓋３の開閉回数をカウンタ３０によりカウントする。カウンタ３０は、筐体３１内に回転ドラム３２を一方向にステップ回転可能に取り付けられている。
【００４８】
図６（ａ）の拡大図Ｄに示すように、回転ドラム３２は、長手方向の外周面が筐体３１の上面に設けた覗窓３３に臨むように取り付けられている。回転ドラム３２の外周面には、長手方向に沿った螺線３４が１ピッチ分描かれる。螺線３４を挟んで一方の領域３５を例えば赤色で表示している。
【００４９】
回転ドラム３２が時計回り方向にステップ回転すると、覗窓３３に臨む領域３５の面積が増え、外蓋３の開閉回数が増えたことを示す。
【００５０】
筐体３１内には、複数の歯車等で構成される不図示のカウントアップ機構が内蔵される。図６（ｂ）に示すように、筐体３１内から上方に突出するプッシュロッド３６が不図示のばねのばね力に抗して一回押し下げられると、前記カウントアップ部の第１歯車を１ステップだけ回転させる。第１歯車が１回転すると、第２歯車が１ステップ回転し、第２歯車が１回転すると、例えば回転ドラム３２が１ステップだけ回転する。プッシュロッド３６の上端は外蓋３の開口端と当接可能な位置に配置され、外蓋３が閉じられる際に、プッシュロッド３６を押し下げる。プッシュロッド３６が押し下げられると、外蓋３の開閉回数を一回カウントする。
【００５１】
外蓋３の開閉回数が多くなると、覗窓３３に臨む回転ドラム３２の領域３５の表示面積が増えるので、外蓋３の開閉回数が増えたことが直感的に認識できる。すなわち、回転ドラムは、外蓋３の開閉回数に応じて表示状態が変化する表示部をなす。したがって、覗窓３３に占める領域３５の赤色が多くなると、パッド８の乾燥が進んでいると判断できる。カウンタ３０のカウント結果に基づいて、塗布液スタンプ台７の交換を促し、また液体収容ケース１自体の買い替えを促す効果が得られる。
【００５２】
なお、カウンタ３０を第２の実施形態の構成に付加するようにしても良い。
〔第４の実施形態〕
図７は第４の実施形態を示す。
【００５３】
本実施形態は、液体収容ケース１に笛の機能を付加し、被災時などの際に笛を吹くことで自身の居場所を知らせることができるようにしたものである。なお、図７において、第１の実施形態で示す液体収容ケース１の部材と同じ部材には同じ符号を付してその説明を省略する。
【００５４】
図７は、液体収容ケース１を上下逆にして描いたもので、ケース本体１の底部を上にして示している。本実施形態において、液体収容ケース１のケース本体２内に笛４０を取り付けている。笛４０は、吹き口４１をケース本体２の底部に設けた孔部４２合わせてケース本体２の内壁面に接着剤により接着される。
【００５５】
笛４０は、パッドホルダー９（不図示）の底面との間に形成された空間内に配置され、歌口４３から出る音がケース本体２内で共鳴する。なお、笛４０を吹いたときにケース本体２内に吹き込まれた空気は、排気口４４からケース本体２の外に排気される。
【００５６】
吹き口４０が臨む孔部４２及び排気口４４は通常不要な孔であるため、粘着テープなどで取り外し可能に塞ぎ、埃等の侵入を防止することが望ましい。
【００５７】
本実施形態では、ケース本体２に笛４０を設けた構成を示しているが、外蓋３に設けても良い。また、仕切り板１２の一部に笛を設け、仕切り板１２を笛構造とするようにしても良い。さらに、笛４０をケース本体２の孔部４２に対して外側から取り外し可能に差し込み、笛４０をケース本体２の孔部４２から抜き取って使用するようにしても良い。
【００５８】
〔第５の実施形態〕
図８は第５の実施形態を示す。
本実施形態は、液体収容ケース１内に設けた塗布液スタンプ台７のパッド８に含浸している消毒液をイオン化するようにしたものである。
【００５９】
図８において、液体収容ケース１は、携帯ストラップ５０の飾り物品として使用される。携帯ストラップ５０は、導電性を有する紐部材５１及び連結リング５２に連結される。液体収容ケース１は、ケース本体２と外蓋３と、パッドホルダー９を金属で形成している。図８において、紐部材５１を外蓋３の頂部に設けているが、ケース本体２の底部に設けても良い。
【００６０】
携帯ストラップ５０は、携帯電話やスマートフォン等の携帯端末５３に連結される。携帯端末５３は例えばユーザの指等で擦られることで表面が帯電する。帯電電圧は紐部材５１を通して飾り物品である液体収容ケース１に加わり、液体収容ケース１内の消毒液をイオン化する。
【００６１】
本実施形態において、紐部材５１とパッド８とを電気的に接続するために、ケース本体２と外蓋３と、パッドホルダー９を金属で形成しているが、このような構成に限定されることはない。例えば、外蓋８の内周面に導電パターンを形成し、前記導電パターンの一端をパッド８に接触させ、前記導電パターンの他端を紐部材５１に電気的に接続するようにしても良い。要するに、紐部材５１とパッド８が電気的に接続できればどのような構成であっても良い。
【００６２】
イオン化された消毒液を浸み込ませたコットンにより指などを拭くと、汚れが落ちやすいという効果が得られる。
【符号の説明】
【００６３】
Ｐ…マーク、  １…液体収容ケース、  ２…第１半球部（第１の容器部）、  ３…第２半球部（第２の容器部）、  ４…ヒンジ部、  ５…ロック爪、  ６…係合孔、  ７…塗布液スタンプ台、  ８…パッド、  ９…パッドホルダー、  １０…つば部、  １１…パッド収容凹部、  １２…仕切り板（中蓋）、  １３…軸部、  １４，１５…支持部、  １６…衛生材料、  ２１…温度マーク、  ２２…湿度マーク、  ２２ａ〜２２ｃ…マーク部、  ３０…カウンタ、  ３１…筐体、  ３２…回転ドラム、  ３３…覗窓、  ３４…螺線、  ３５…領域、  ３６…プッシュロッド、  ４０…笛、  ４１…吹き口、  ４２…孔部、  ４３…歌口、  ４４…排気口、  ５０…携帯ストラップ、  ５１…紐部材、  ５２…連結リング
【図１】
0003198334.tif 000003
【図２】
0003198334.tif 000004
【図３】
0003198334.tif 000005
【図４】
0003198334.tif 000006
【図５】
0003198334.tif 000007
【図６】
0003198334.tif 000008
【図７】
0003198334.tif 000009
【図８】
0003198334.tif 000010